(57)【特許請求の範囲】
【請求項１】
文字認識により作成された文書ファイルを、文書ファイルの文字がドットの集合として複数のドットにより印刷されたドット文字によるイメージでプリントアウトする出力ステップと、
前記出力ステップにより出力された文書に対して、単語として文字認識する単語処理又は文字の結合処理又は文字の分離処理による修正内容を指示するため修正記号が記入された修正入力文書をイメージ入力する入力ステップと、
前記入力ステップにより入力された修正入力文書について、各画素の収縮処理を実行して、前記ドット文字を消去することにより修正記号を抽出し、又は、画素の連結成分を求め、求められた連結成分の画素数に基づき修正記号を抽出し、抽出された修正記号を切り出し修正内容を認識する修正認識ステップと、
前記修正認識ステップにより認識された修正内容と修正すべき文字との対応関係を判断する対応付けステップと、
前記対応付けステップによる判断結果に基づき、修正内容である前記単語処理又は前記結合処理又は前記分離処理に応じて文書ファイルを修正する修正ステップと
を含む文書入力方法。
【請求項２】
入力された文書に基づき認識された文字又は行についての位置情報と候補文字を中間処理ファイルに記憶する文字認識ステップをさらに備え、
前記修正ステップは、前記文字認識ステップにより記憶された中間処理ファイルを参照して、文書ファイルの位置情報により指示された文字を別の候補文字に修正することを特徴とする請求項１に記載の文書入力方法。
【請求項３】
前記出力ステップは、さらに、認識結果をディスプレイ上に表示し、
表示された画面上で修正内容及び修正位置を指示するための入力ステップをさらに備えたことを特徴とする請求項１又は２に記載の文書入力方法。
【請求項４】
前記修正認識ステップは、
単語として複数文字を認識するための単語処理、複数文字に対する文字パターンをひとつの文字パターンとして認識するための結合処理、又は、ひとつの文字に対応する文字パターンを複数の文字パターンとして認識するための分離処理のいずれか又は複数を認識することを特徴とする請求項１乃至３のいずれかに記載の文書入力方法。
【請求項５】
前記修正ステップは、
指示された修正内容が単語処理の場合、指示された複数文字をひとつの単語として認識し、
指示された修正内容が結合処理の場合、複数文字に対する文字パターンをひとつの文字パターンとして認識し、
指示された修正内容が分離処理の場合、ひとつの文字に対応する文字パターンを複数の分離された文字パターンとして認識することを特徴とする請求項１乃至４のいずれかに記載の文書入力方法。
【請求項６】
文字認識により作成された文書ファイルを、文書ファイルの文字がドットの集合として複数のドットにより印刷されたドット文字によるイメージでプリントアウトする出力ステップと、
前記出力ステップにより出力された文書に対して、単語として文字認識する単語処理又は文字の結合処理又は文字の分離処理による修正内容を指示するため修正記号が記入された修正入力文書をイメージ入力する入力ステップと、
前記入力ステップにより入力された修正入力文書について、各画素の収縮処理を実行して、前記ドット文字を消去することにより修正記号を抽出し、又は、画素の連結成分を求め、求められた連結成分の画素数に基づき修正記号を抽出し、抽出された修正記号を切り出し修正内容を認識する修正認識ステップと、
前記修正認識ステップにより認識された修正内容と修正すべき文字との対応関係を判断する対応付けステップと、
前記対応付けステップによる判断結果に基づき、修正内容である前記単語処理又は前記結合処理又は前記分離処理に応じて文書ファイルを修正する修正ステップと
をコンピュータに実行させるための文書入力プログラムを記録した記録媒体。
【請求項７】
文字認識により作成された文書ファイルを記憶する文書ファイル記憶手段と、
前記文字ファイル記憶手段に記憶された文書ファイルを、文書ファイルの文字がドットの集合として複数のドットにより印刷されたドット文字によるイメージでプリントアウトする出力手段と、
前記出力手段により出力された文書に対して、単語として文字認識する単語処理又は文字の結合処理又は文字の分離処理による修正内容を指示するため修正記号が記入された修正入力文書をイメージ入力する入力手段と、
前記入力手段により入力された修正入力文書について、各画素の収縮処理を実行して、前記ドット文字を消去することにより修正記号を抽出し、又は、画素の連結成分を求め、求められた連結成分の画素数に基づき修正記号を抽出し、抽出された修正記号を切り出し修正内容を認識する修正認識手段と、
前記修正認識手段により認識された修正内容と修正すべき文字との対応関係を判断する対応付け手段と、
前記対応付け手段による判断結果に基づき、修正内容である前記単語処理又は前記結合処理又は前記分離処理に応じて文書ファイルを修正する修正手段と
を備えた文書入力装置。
【請求項８】
入力された文書に基づき認識された、文字又は行についての位置情報と候補文字を記憶する中間処理ファイル記憶手段をさらに備え、
前記修正手段は、前記中間処理ファイル記憶手段を参照して、文書ファイルの位置情報により指示された文字を別の候補文字に修正することを特徴とする請求項７に記載の文書入力装置。
【発明の詳細な説明】
【０００１】
【発明の属する技術分野】
本発明は、文書入力方法、文書入力プログラムを記録した記録媒体及び文書入力装置に係る。本発明は、特に、オフィス等で利用される情報機器分野に利用可能で、認識された文字の修正を行うことのできる文書入力方法、文書入力プログラムを記録した記録媒体及び文書入力装置に関する。
【０００２】
【従来の技術】
従来より、文書を光学式文字読み取り装置（Optical Character Reader, OCR）等を用いて入力し、キーボード、ディスプレイを用いずに読み取り結果を修正する文書入力装置がある（例えば、特開昭６３−２２０３８３号公報参照）。
【０００３】
図１３に、従来の文書入力装置の構成図を示す。また、図１４に、従来の文書入力処理に関する説明図を示す。
この文書入力装置は、光電変換手段１０１、文字認識手段１０２、文書ファイル記憶手段１０３、印刷手段１０４、修正記号・文字認識手段１０６、対応付け手段１０７、修正手段１０８を備える。
【０００４】
この文書入力装置では、まず、読みとるべき入力文書１１０を、光電変換手段１０１により電子データとし、文字認識手段１０２で読み取り、その結果を文書ファイル記憶手段１０３に記憶する。文書ファイル記憶手段１０３に記憶された文書ファイルは、印刷手段１０４より印刷され、出力文書１０５（認識出力１１１）が出力される。ここで、認識出力１１１上に誤りを修正するため、記号、文字を記入し修正入力１１２を作成する。この修正入力１１２を、光電変換手段１０１で再び電子データにし、修正記号・文字認識手段１０６において、記入した記号、文字を読みとる。さらに、それらが記入された位置と文書ファイルとの位置の対応付けを対応付け手段１０７で行い、記入された修正記号に従った処理を修正手段１０８で行い、修正結果１１３を得ることができる。このようにすることによって、キーボード、ディスプレイを使えない人にとっても、電子文書の作成及び修正が可能になる。
【０００５】
【発明が解決しようとする課題】
しかしながら、従来においては、修正のため出力文書に手書きで記入された漢字等の文字認識が、正しく行われることが前提である。従来は、すなわち、もともとの認識処理で正確に認識されなかったものを同様の認識処理で繰返し認識するのみに過ぎず、手書き文字を正確に認識することは、現状ではかなり実現が困難である。
【０００６】
本発明は、以上の点に鑑み、文字イメージや読み取り結果の候補文字等の中間処理結果を記憶しておき、この中間処理結果と認識手段及び修正手段等を用いることにより、文字の修正をかならずしも文字を記入せずに、誤って認識された文字の修正を行うことを目的とする。また、本発明によると、従来のように文字を記入した場合の修正についても適用することを目的とする。
【０００７】
【課題を解決するための手段】
本発明の第１の解決手段によると、
文字認識により作成された文書ファイルを、文書ファイルの文字がドットの集合として複数のドットにより印刷されたドット文字によるイメージでプリントアウトする出力ステップと、
前記出力ステップにより出力された文書に対して、単語として文字認識する単語処理又は文字の結合処理又は文字の分離処理による修正内容を指示するため修正記号が記入された修正入力文書をイメージ入力する入力ステップと、
前記入力ステップにより入力された修正入力文書について、各画素の収縮処理を実行して、前記ドット文字を消去することにより修正記号を抽出し、又は、画素の連結成分を求め、求められた連結成分の画素数に基づき修正記号を抽出し、抽出された修正記号を切り出し修正内容を認識する修正認識ステップと、
前記修正認識ステップにより認識された修正内容と修正すべき文字との対応関係を判断する対応付けステップと、
前記対応付けステップによる判断結果に基づき、修正内容である前記単語処理又は前記結合処理又は前記分離処理に応じて文書ファイルを修正する修正ステップと
を含む文書入力方法、及び、各ステップをコンピュータに実行させるための文書入力プログラムを記録した記録媒体が提供される。
【０００８】
本発明の第２の解決手段によると、
文字認識により作成された文書ファイルを記憶する文書ファイル記憶手段と、
前記文字ファイル記憶手段に記憶された文書ファイルを、文書ファイルの文字がドットの集合として複数のドットにより印刷されたドット文字によるイメージでプリントアウトする出力手段と、
前記出力手段により出力された文書に対して、単語として文字認識する単語処理又は文字の結合処理又は文字の分離処理による修正内容を指示するため修正記号が記入された修正入力文書をイメージ入力する入力手段と、
前記入力手段により入力された修正入力文書について、各画素の収縮処理を実行して、前記ドット文字を消去することにより修正記号を抽出し、又は、画素の連結成分を求め、求められた連結成分の画素数に基づき修正記号を抽出し、抽出された修正記号を切り出し修正内容を認識する修正認識手段と、
前記修正認識手段により認識された修正内容と修正すべき文字との対応関係を判断する対応付け手段と、
前記対応付け手段による判断結果に基づき、修正内容である前記単語処理又は前記結合処理又は前記分離処理に応じて文書ファイルを修正する修正手段と
を備えた文書入力装置が提供される。
【０００９】
【発明の実施の形態】
図１に、本発明に係る文書入力装置の構成図を示す。
この文書入力装置は、光電変換手段１、文字認識手段２、文書ファイル記憶手段３、出力手段４、入力手段５、修正認識手段６、対応付け手段７、修正手段８、中間処理ファイル記憶手段９を備える。
【００１０】
光電変換手段１は、例えばＯＣＲで構成され、読み取り対象となる文書を読みとり、電子データとする。文字認識手段２は、光電変換手段１により読み取られた電子データから文字・文書を認識する。文書ファイル記憶手段３は、文字認識手段２により作成された文書ファイルを記憶する。出力手段４は、文字ファイル記憶手段３に記憶された文書ファイルを表示又は出力する。出力手段４は、印刷手段により出力文書をプリントアウトする装置又はディスプレイ上に出力文書を表示する装置等である。なお、出力手段４として、外部装置のインタフェースをとるための装置、伝送装置、各種記録媒体の駆動装置等を用いることもできる。入力手段５は、マウス、タッチペン等のポインティングデバイス、キーボード等適宜の入力装置である。
【００１１】
操作者は、出力手段４により出力された認識結果を参照して、修正内容の指示を行う。修正内容の指示は、例えば、プリンタ等の出力手段４による出力プリントアウトの場合、その印刷結果に修正記号を記入するようにしてもよい。この場合、記入された修正記号は、修正認識手段６により、切り出される。また、修正内容の指示は、ディスプレイ等の出力手段４による表示画面の場合、画面を見ながら入力手段５のポインティングデバイス等で修正内容及び修正位置を指示するようにしてもよい。
【００１２】
修正認識手段６は、出力手段４により出力された文書又は表示画面に対して指示された修正内容（修正記号、文字等）を認識する。出力手段４により、認識結果としての文書がプリントアウトされた場合、光電変換手段１より修正内容が入力される。一方、認識結果としての文書がディスプレイ上に表示された場合、入力手段５により、修正内容及び位置が適宜入力される。なお、修正認識手段６は、修正記号のみならず、上述した従来のような修正文字及び修正箇所についても認識することができる。修正認識手段６は、例えば、単語として複数文字を認識するための単語処理、複数文字に対する文字パターンをひとつの文字パターンとして認識するための結合処理、ひとつの文字に対応する文字パターンを複数の文字パターンとして認識するための分離処理等を実行する場合の修正記号や修正文字を認識することができる。
【００１３】
対応付け手段７は、修正認識手段６により認識された修正内容と修正すべき文字又は文字の位置との対応関係を判断する。すなわち、記入された修正記号、文字が、出力された文字のどこに対する処理なのかを対応づける。
【００１４】
修正手段８は、再度認識した際の、対応付け手段７による判断結果に基づき、中間処理ファイル記憶手段９を参照して、修正内容に応じて文書ファイル記憶手段３に記憶された文書ファイルを修正する。修正手段８は、例えば、対応付け手段７に従い文書ファイルの位置情報により指示された文字を、中間処理ファイル記憶手段９に先の認識時に記憶されている候補の中から別の候補文字に修正する。修正手段８は、上述した従来のような修正処理についても実行することができる。修正手段８は、例えば、単語処理の場合、指示された複数文字をひとつの単語として認識し、結合処理の場合、複数文字に対する文字パターンをひとつの文字パターンとして認識し、また、分離処理の場合、ひとつの文字に対応する文字パターンを複数の文字パターンとして分離して認識することができ、それぞれ該当する修正処理を実行する。なお、本発明は、修正するためのこの他の指示についても、適宜適用することができる。
【００１５】
中間処理ファイル記憶手段９は、文字認識手段２で認識を行う際に、途中の処理データ、すなわち文字パターン及びその位置、行位置、認識候補文字を含む認識結果等が記憶される。文字認識手段２は、文字認識処理の際、中間処理ファイル記憶手段９に、これら情報を記憶する。
修正手段８は、文字の再認識及び修正処理を実行する場合、対応する文字又は行についての位置情報と候補文字を中間処理ファイル記憶手段９から取り出す。
【００１６】
図２に、本発明に係る文書入力方法の第１の実施の形態のフローチャートを示す。また、図３に、文書入力処理に関する説明図を示す。ここでは、出力結果が紙等にプリントアウトとされた場合を例に説明する。
【００１７】
まず、光電変換手段１から入力文書１０がイメージ入力され（Ｓ１０１）、中間処理ファイル記憶手段９にデータを記憶する。文字認識手段２は、入力されたイメージから文字を切り出し（Ｓ１０３）、中間処理ファイル記憶手段９に文字又は行の位置情報、認識候補等を記憶する。文字認識手段２は、文字認識をし（Ｓ１０５）、認識結果を文書ファイル記憶手段３に記憶する。出力手段４は、認識結果を出力する（Ｓ１０７）。ここで、認識出力１１が出力されたとする。
【００１８】
紙出力の場合は、操作者は、十分な認識がなされていない文字・文書に修正内容の指示を行う（Ｓ１１１）。ここでの修正内容の指示は、例えば、記号文字が記入された修正入力１２の中の、第１記号１２ａ、第２記号１２ｂ、第３記号１２ｃの修正記号で行われる。この修正記号の例において、第１記号１２ａ、第２記号１２ｂ、第３記号１２ｃはそれぞれ、単語処理、文字パターンの結合、文字パターンの分離処理を指示する記号である。
【００１９】
修正認識手段６は、記入された修正記号を切り出す（Ｓ１１３）。修正記号の切り出しは、例えば、活字位置の行間や文字間を検出することにより、その行間又は文字間に記入された修正記号を検出することができる。また、出力手段４によるプリントアウトに、文字の位置情報が印刷されている場合、それ以外の位置に記入されたものを修正記号として認識することもできる。さらに、出力手段４によるプリントアウトが、ドット文字で印刷されている場合、画素の連続性、太さ等により、修正記号を識別することができる。この点については、後述する。
【００２０】
ここで、切り出された修正文字が、単語処理と認識された場合は、認識候補文字において、この記号に対応する文字の組で候補文字の組み合わせから単語としてもっとも可能性の高い組み合わせを求める単語処理を行う（Ｓ１１７）。
【００２１】
図４に、単語処理の説明図を示す。一般に文字認識は、個々の文字パターンごとに認識して、認識候補文字の一番目を認識結果として出力する。これを単語として例えば２文字の組み合わせで判断した場合、１文字目と２文字目の組み合わせのうち、単語として成り立つものの制限があることから、誤認識が少なくなる。例えば、１文字目を認識した結果、４つの文字が認識候補として判断されたとする。即ち、第１候補「持」、第２候補「特」、第３候補「侍」、第４候補「稼」である。また、２文字目を認識した結果、３つの文字が認識候補として判断されたとする。即ち、第１候補「微」、第２候補「徴」、第３候補「働」である。１文字毎の認識結果では、各々第１候補の「特」及び「微」が選択された。しかし、単語処理では、これら２文字を単語として認識するように指示されたため、各文字の各候補の組合わせを検討する。例えば、第２候補「特」及び第２候補「徴」との組合わせが候補の優先順位の和４（２＋２）であり、また、第４候補「稼」及び第３候補「働」との組合わせが候補の優先順位の和７（４＋３）であることが、判断される。したがって、単語処理結果として、優先順位が高い順に（即ち、優先順位の和が小さい順に）、第１候補「特徴」及び第２候補「稼働」が認識候補として判断される。ここでは、第１候補の「特徴」が、単語処理の結果として認識される。
【００２２】
また、文字パターンの結合処理と認識された場合は、対応する複数の文字パターンをあわせ、ひとつの文字として認識する結合処理を実行する（Ｓ１１９）。
【００２３】
図５に、結合処理の説明図を示す。結合処理は、修正記号により指示された２個以上の文字に対応する文字パターン（中間処理ファイル記憶手段９に記憶）を、ひとつの文字パターンとして再度認識する。ここでは、認識結果の「Ｔ」と「由」とを結合する指示がなされたため、再度の認識の結果、「抽」が認識された。
【００２４】
文字パターンの分離処理と認識された場合は、対応する文字パターンについて、再度文字切り出しから行う分離処理が実行される（Ｓ１１７）。
【００２５】
図６に、分離処理の説明図を示す。分離処理は、修正記号により指示された文字に対応する文字パターン（中間処理ファイル記憶手段９に記憶）を、２つの文字パター−ンとして切り出して再度認識する。ここでは、認識結果の「和」を分離する指示がなされたため、再度の認識の結果、「ｆ」と「ｅ」とが認識された。
【００２６】
修正手段８は、各処理に応じて文書ファイル記憶手段３を修正し（Ｓ１２３）、修正結果１３を出力する（Ｓ１２５）。ここで、満足する結果が得られない場合（Ｓ１２９）は、さらに、ステップＳ１１１に戻って処理を繰り返す。十分に修正が行われたら、処理を終了する。
【００２７】
つぎに、図７に、本発明に係る文書入力方法の第２の実施の形態のフローチャートを示す。これは、認識出力１１がディスプレイによる出力手段４で出力された場合の動作を示す。ステップＳ１０１〜Ｓ１０７、Ｓ１１７〜Ｓ１２７の各処理については、図２と同様である。図２のステップＳ１１１及びＳ１１３が、この図のステップＳ１１５と置換されている。
【００２８】
ディスプレイ出力の場合は、マウス等の入力手段５を用いて、修正内容及び該当する文字位置を指示する（Ｓ１１５）。よって、修正認識手段６及び対応付け手段７は、マウス等による指示から直接修正内容と位置を把握することができる。また、修正文字自体を入力手段４のキーボード等から入力することもできる。
【００２９】
図８に、本発明に係る文書入力方法の第３の実施の形態のフローチャートを示す。ステップＳ１０１〜Ｓ１０７、Ｓ１１５〜Ｓ１２７の各処理については、図２と同様である。また、ステップＳ１１５の処理については、図７と同様である。ここでは、出力手段４による認識出力１１が、紙出力かディスプレイ出力かの判断のためのステップＳ１０９が加えられている。紙出力の場合は第１の実施の形態と同様に、ディスプレイ出力の場合は第２の実施の形態と同様の処理が実行される。
【００３０】
以下に、出力手段４によるプリントアウトが、ドット文字の場合の修正記号の切り出し及び識別について説明する。
なお、ドット文字は、従来ドットプリンタで印字された文字の意味で主に用いられた経緯があるが、プリンタの方式に限らず、後述の図１１（文書イメージ入力４１）、図１２（文書イメージ入力５１）及びそれらの説明箇所等に記載されるように、印刷された結果が互いに接しない独立した黒領域（点や線分）の集合として印字された文字を指す。ドット文字を用いることにより、人間にはグレーに見えるため書き込みに違和感はなく、読み取り装置にとっては、ある一定値サイズ以下の黒画素連結領域（周りを白画素で囲まれた接続する黒画素集合）の集まりとして取り込まれるため、それらの収縮・膨張、あるいは、連結黒画素数によるしきい値処理等の画像処理技術などによって、上書きされた手書きを切り出すときは元の文書を除去し、本等の文書の文字位置を求める時には上書きされた手書きを除去するなどが容易に行える。
【００３１】
図９に、ドット文字の場合の修正記号の切り出し及び識別についてのフローチャートを示す。また、図１０に、図９の文書処理に関する説明図を示す。
【００３２】
出力手段４は、文書ファイル記憶手段３に記憶された文書ファイルをドット文字イメージでプリントアウトを出力する（Ｓ２０１）。操作者は、このプリントアウト上に修正のための記号、また、必要に応じて文字を記入し、修正入力文書１４を作成する（Ｓ２０３）。さらに、光電変換手段１により、修正入力文書１４がイメージ入力され、電子データ化され電子データ蓄積手段６に蓄積される（Ｓ２０５）。
【００３３】
修正認識手段６は、出力手段４により出力された文書中で、修正記号が記入された文字の位置を検出する（Ｓ２０７）。また、修正認識手段６は、活字がドットで印字されていることに注目して、電子化された文書画像から行及び文字位置を検出する。詳細は後述する。また、修正認識手段６は、修正入力文書１４に記入された修正記号や文字を、認識する（Ｓ２１１）。なお、修正すべき正しい文字は、例えば、文字認識手段２等により、認識することもできる。
【００３４】
対応付け手段７は、修正認識手段６により検出された文字の位置と、修正認識手段６により認識された修正記号とを対応付け、修正対象文字を特定する（Ｓ２１３）。すなわち、記入された修正記号や文字が、出力された文字のどこに対応するのかを対応付ける。このようにして、記号検出・認識結果１５が得られる。
【００３５】
修正手段８は、対応付け手段７の対応付けに従い、該当する文字を修正記号に対応する修正処理により修正する（Ｓ２１５）。修正手段８は、修正認識手段６により認識された修正記号に従い文書ファイル記憶手段３に記憶された文書ファイルを修正する。ここでは、図１０中、斜線による指示は、例えば、対応する活字をその上に記入された文字と置き換える記号を表すので、修正手段８は、このような記入文字に対応して、「埋」を「理」に修正する処理を、文書ファイル記憶手段３に対して行う。ここでは、文字認識手段２又は修正認識手段６等により、修正すべき正しい文字として「理」が認識される。なお、修正手段８は、この他にも、例えば、単語認識処理、結合処理、分割処理を実行し、文書ファイルを修正することができる。
【００３６】
出力手段４は、修正された文書ファイルを文書ファイル記憶手段３から読み出し、修正結果１６を出力する（Ｓ２１７）。この際、プリントアウトに限らずディスプレイ上に出力して確認しても良い。
【００３７】
図１１に、プリントアウト文字位置検出の説明図を示す。
修正認識手段６は、入力文書のエッジ画像について、横方向及び縦方向のそれぞれに画素数を積算することにより、文字の位置を検出するようにする。具体的には、例えば、まず輪郭画像を作成して、これを強調し、この輪郭画像上で、水平方向に黒画素数を数えて行位置を検出し、次に各行毎に垂直方向に黒画素数を計数することにより文字位置を検出する。
【００３８】
この例では、修正認識手段６による、第１行目「本論文では」及び第２行目「取り装置の」とプリントアウトされた文字の位置検出について説明する。まず、修正記号を記入済みの文字イメージ４１が入力される。この文字イメージに基づき、各画素の輪郭を検出を行い、輪郭画像４２を求める。さらに、検出された輪郭画素４２について、横方向に画素を積算又は加算して横方向周辺分布４３を求める。この横方向分布により行の位置を検出することができる。つぎに、求められた各行について、同様に、検出された輪郭画素４４を切り出し、これについて縦方向に画素を積算又は加算して縦方向周辺分布４５を求める。この縦方向周辺分布４５により各行の文字の位置（横方向位置）を求めることができる。以上のように、ある文字について、行と列が特定され文字位置検出画像４６が得られる。さらに、各文字の最も外側の画素を検出することで、各文字を切り出すことができる。
【００３９】
図１２に、修正記号の認識の説明図を示す。
修正認識手段６は、修正記号の抽出（記入文字の検出）において、修正入力文書１４から、画素の連結成分を求め、求められた連結成分の画素数に基づき、あらかじめ決められた大きさ以下の黒連結成分を除くことにより、修正記号のみを残し、残された修正記号の各々を切り出す。修正認識手段６は、修正記号を切り出す際、例えば、白画素に隣接する黒画素をエッジとして、そのエッジを元の画像から除去する収縮処理を備える。
【００４０】
この例では、「取り装置の」とプリントアウトされた文字の「装」に記入された修正記号について説明する。まず、修正記号が記入済みの文字イメージ５１が入力される。つぎに、各画素を収縮処理（収縮処理）した収縮画像５２に変換する。
【００４１】
この収縮処理を適宜の回数実行して、ドット文字を消去することにより、修正記号を抽出した修正記号抽出画像５３を得る。ドット文字を消去する方法としては、例えば、黒画素が連結した部分である連結成分を求めて、各連結成分の黒画素数を求める。さらに、この黒画素数が予め決められた閾値以上である連結成分を残すことにより修正記号を抽出することができる。つぎに、修正認識手段６は、修正記号を切り出し、どのような修正指示を行うための修正記号かを認識することで修正記号認識結果５４が得られる。
【００４２】
なお、各処理間の入出力については、インターネット等の通信を用いても良い。
【００４３】
【発明の効果】
本発明によると、以上のように、文字イメージや読み取り結果の候補文字等の中間処理結果を記憶しておき、この中間処理結果と認識手段及び修正手段等を用いることにより、文字の修正をかならずしも文字を記入せずに、誤って認識された文字の修正を行うことができる。また、本発明によると、従来のように文字を記入した場合の修正についても適用することができる。
【図面の簡単な説明】
【図１】  本発明に係る文書入力装置の構成図。
【図２】  本発明に係る文書入力方法の第１の実施の形態のフローチャート。
【図３】  文書入力処理に関する説明図。
【図４】  単語処理の説明図。
【図５】  結合処理の説明図。
【図６】  分離処理の説明図。
【図７】  本発明に係る文書入力方法の第２の実施の形態のフローチャート。
【図８】  本発明に係る文書入力方法の第３の実施の形態のフローチャート。
【図９】  ドット文字の場合の修正記号の切り出し及び識別についてのフローチャート。
【図１０】  図９の文書処理に関する説明図。
【図１１】  プリントアウト文字位置検出の説明図。
【図１２】  修正記号の認識の説明図。
【図１３】  従来の文書入力装置の構成図。
【図１４】  従来の文書入力処理に関する説明図。
【符号の説明】
１  光電変換手段
２  文字認識手段
３  文書ファイル記憶手段
４  出力手段
５  入力手段
６  修正認識手段
７  対応付け手段
８  修正手段
９  中間処理ファイル記憶手段
【図１】
0003954247.tif 000002
【図２】
0003954247.tif 000003
【図３】
0003954247.tif 000004
【図４】
0003954247.tif 000005
【図５】
0003954247.tif 000006
【図６】
0003954247.tif 000007
【図７】
0003954247.tif 000008
【図８】
0003954247.tif 000009
【図９】
0003954247.tif 000010
【図１０】
0003954247.tif 000011
【図１１】
0003954247.tif 000012
【図１２】
0003954247.tif 000013
【図１３】
0003954247.tif 000014
【図１４】
0003954247.tif 000015